(57)【要約】      （修正有）【課題】金属務歯とファスナーテープの組立固定の安定性と耐用度を高め、更に二重の噛合せ固定効果によって、金属務歯のズレや脱落を防止して使用寿命を延ばす線ファスナー金属務歯の構造を提供する。【解決手段】線ファスナー金属務歯１の構造は、第一噛合せ部位１１６及び第二噛合せ部位１１７をファスナーテープの中心線部位と固定することで、該中心線部位を強制的に変形させ相対して噛合せ面積を増やし、歯抜け、歯滑り防止強度を高める長所を備える。言い換えると、金属務歯とファスナーテープ２１の組立固定を安定させて耐用度を高める。また二重の噛合せ固定効果によって、金属務歯のズレや脱落を防止し、使用寿命を延ばす。また該金属務歯は、務歯頭部に設置した凹円弧面１２２１によって左右両側の金属務歯１が開いたり閉じたりする時、摩擦や押圧の抵抗力を減らしてスムーズに滑動させる。【選択図】図４
0003164064.tif 000002
【実用新案登録請求の範囲】
【請求項１】
金属務歯とファスナーテープの組立構造を指し、該金属務歯は左右間隔を開けて排列しファスナーテープの内側の中心線部位にそれぞれ固定し、そのうち、該金属務歯は本体を備え、該本体の一側中間には貫通した槽孔を備え、本体の別一側の下方には下向きに突出した務歯頭部を備え、該本体の一側の槽孔の外側は開口端を形成し、且つ該槽孔は該開口端から内側に向かって第一狭窄部位と第一幅広部位を備え、該槽孔内に第一噛合せ部位を形成し、該第一噛合せ部位でファスナーテープの中心線部位と噛み合わせて固定し、該中心線部位を強制的に変形させ、また前述の本体の別一側の底部には凹槽を備え、且つ該本体の別一側上方は上向きに突出した務歯頭部の位置側に斜面部を備え、該務歯頭部の別一側にも斜面部を備える線ファスナー金属務歯の構造において、
該金属務歯の本体の一側の槽孔の第一幅広部位は内向きに続いて第二狭窄部位が形成され、該第二狭窄部位は内向きに第二幅広部位が形成され、それらによって該槽孔内に第二噛合せ部が形成され、該前述の第一噛合せ部位及び第二噛合せ部位でファスナーテープの中心線部位を噛み合わせて固定することで、噛合せ面積が増え、該金属務歯の本体の別一側上方の上向きに突出した務歯頭部の別一側の斜面部に凹円弧面が備えられることを特徴とする線ファスナー金属務歯の構造。
【請求項２】
前記金属務歯の本体の別一側は、上方が上向きに突出した務歯頭部の別一側が円弧形の円弧面で、且つ該円弧面には凹円弧面を備えることを特徴とする請求項１記載の線ファスナー金属務歯の構造。
【考案の詳細な説明】
【技術分野】
【０００１】
本考案は、線ファスナー金属務歯の構造に関するもので、金属務歯とファスナーテープの組合せ構造を指し、該金属務歯は二重の噛合せ固定効果によって歯抜け、歯滑り防止強度が向上する。また務歯頭部の凹円弧面によって左右の金属務歯が噛み合ったり分かれたりする掛合動作に於いて、摩擦、押圧の抵抗力が減り、滑動をスムーズにする。
【背景技術】
【０００２】
公知の金属線ファスナーの左右両側のファスナーテープ３（図１参照）は、金属務歯のプレス成形機（図未提示）もしくは植歯専用機（図未提示）で金属務歯４をファスナーテープ３の中心線部位３１に固定する。該金属務歯４の本体４０は貫通した槽孔４１を備え、該槽孔４１(図２参照)の開口端４１１から内側に向かって順に狭窄部位４１２（図３参照）及び幅広部位４１３を設置して槽孔４１の開口端４１１付近に噛合せ部位４１４を形成し、更に該噛合せ部位４１４とファスナーテープ３の中心線部位３１で噛み合わせて固定する。前述構造の欠点は、以下のとおりである。
【０００３】
金属務歯４は、開口端４１１に近い噛合せ部位４１４（図２参照）によってファスナーテープ３の中心線部位３１と固定されるが、噛合せ面積が小さいため、使用後に金属務歯４がズレたり脱落したりしやすく、スライダー５を上下滑動させる時に使用できなくなることがある。
【０００４】
ファスナーテープ３（図１参照）の左右両側に相対する金属務歯４は、噛合わせる過程において、そのうちの一側の金属務歯４の務歯頭部４２上方の一側端４２１は別の一金属務歯４’の本体４０’下方内側の角辺４０１’と互いに摩擦、押圧して抵抗力を発生するので噛み合わせたり分かれたりする動作がスムーズでなくなりやすく、それにより金属線ファスナーの開閉動作がスムーズでなくなり使用できなくなる。
【先行技術文献】
【特許文献】
【０００５】
【特許文献１】特開２００３−２９９５０９
【考案の概要】
【考案が解決しようとする課題】
【０００６】
本考案の解決しようとする問題点は、線ファスナーにおいて、金属務歯がズレたり脱落することでファスナーの開閉がスムーズでなくなる点である。本考案では前述の欠点を鑑み、不断の研究と改良により、一種の金属務歯の構造を提供する。
【課題を解決するための手段】
【０００７】
上記課題を解決するために、本考案は、第一噛合せ部及び第二噛合せ部をファスナーテープの中心線部位と固定することで、該中心線部位を強制的に変形させ相対して噛合せ面積を増やし、歯抜け、歯滑り防止強度を高める長所を備える。言い換えると、金属務歯とファスナーテープの組立固定を安定させて耐用度を高める。また二重の噛合せ固定効果によって、金属務歯のズレや脱落を防止し、使用寿命を延ばす。また該金属務歯は、務歯頭部に設置した凹円弧面によって左右両側の金属務歯が開いたり閉じたりする時、摩擦や押圧の抵抗力を減らしてスムーズに滑動させることを最も主要な特徴とする。
【考案の効果】
【０００８】
本考案の線ファスナー金属務歯の構造によれば、金属務歯とファスナーテープの組立固定の安定性と耐用度を高め、更に、二重の噛合せ固定効果によって、金属務歯のズレや脱落を防止して使用寿命を延ばすという利点がある。
【図面の簡単な説明】
【０００９】
【図１】公知の金属線ファスナーの噛合せ動作組立の断面指示図である。
【図２】公知の金属務歯と線ファスナーテープを固定した後の部分断面拡大指示図である。
【図３】公知の金属務歯の平面拡大図である。
【図４】本考案の実施例の金属務歯とファスナーテープを固定した後の部分断面拡大指示図である。
【図５】本考案の金属務歯の別角度断面拡大指示図である。
【図６】本考案の金属務歯の別角度立体拡大図である。
【図７】本考案の実施例で金属ファスナーの噛合せ動作部分平面指示図である。
【考案を実施するための形態】
【００１０】
本考案は線ファスナー金属務歯の構造において、金属務歯の第一噛合せ部位及び第二噛合せ部位でファスナーテープの中心線部位と咬み合って固定し、該中心線部位を強制的に変形して噛合せ面積を増やし、歯抜け、歯滑り防止強度を高める長所を備える。言い換えると、金属務歯とファスナーテープの組立固定の安定性と耐用度を高める。更に二重の噛合せ固定効果によって、金属務歯のズレや脱落を防止して使用寿命を延ばす線ファスナー金属務歯の構造を提供する。
【００１１】
該金属務歯は、その務歯頭部に設置した凹円弧面によって、左右両側の金属務歯の噛合せと分離動作の時の摩擦、押圧の抵抗力を減らし、滑動をスムーズにする線ファスナー金属務歯の構造を提供することを本考案の次の目的とする。
【実施例】
【００１２】
本考案の線ファスナー金属務歯の構造の実施例を図面を参照に説明する。
図４から図７に示すとおり、本考案の線ファスナー金属務歯の構造は、金属務歯１とファスナーテープ２１から構成される。該金属務歯１は左右間隔を開けて排列し、それぞれ金属線ファスナー２（図７参照）の左右両側の中心線部位２１１に固定する。そのうち、該金属務歯１は本体１０を含み、該本体１０の一側中間には貫通した槽孔１１（図６参照）を備える。
【００１３】
本体１０の別一側下方は上向きに突出した務歯頭部１２を備え、該本体１０一側の槽孔１１外側は開口端１１１を成形する。更に該槽孔１１は開口端１１１から内向きに第一狭窄部位１１２（図６参照）、第一幅広部位１１３、第二狭窄部位１１４、第二幅広部位１１５を備えて該槽孔１１内に、相対する第一噛合せ部位１１６と相対する第二噛合せ部位１１７を形成する。更に該第一噛合せ部位１１６及び第二噛合せ部位１１７で、ファスナーテープ２１の中心線２１１を噛み合わせて固定し、強制的に該中心部位２１１を変形させることで噛合せ面積を広げて歯抜け、歯滑り防止強度を高める長所を備える。
【００１４】
言い換えると、金属務歯１は第二噛合せ部位１１７によって歯と芯（即ち中心線部位２１１）の噛合せ強度が向上して安定し耐用度が増す。二重の噛合せ固定効果によって金属務歯１のズレや脱落を防止し、使用寿命が相対して延ばす。また前述の金属務歯１の本体１０の別一側底部には凹槽１３を備え、且つ該本体１０の別一側の上部は上向きに突出した務歯頭部１２の一側に斜面部１２１を備える。また、該務歯頭部１２の別一側にも斜面部１２２を備え（もしくは反りを備えた円弧面部）、該務歯１２の別一側の斜面部１２２（もしくは反りを備えた円弧面部）には凹円弧面１２２１を備える。
【００１５】
該凹円弧面１２２１によって、左右両側のファスナーテープ２１に設置した左右の金属務歯１が噛み合ったり、分かれたりする時、摩擦、圧力の抵抗を減らし、滑りを更に良くする。言い換えると、金属線ファスナー２が閉じたり開いたりして左右両側の金属務歯１が噛み合ったり（閉じたり）分かれたりした時、そのうちの一側の金属務歯１の務歯頭部１２は、その凹円弧面１２２１によって別一側の金属務歯１下方内側の角辺１３１を避け（図７参照）、合わさった時に押したりぶつけたりせず、抵抗を減らして良好な滑動を達成する。
【００１６】
更に公知の金属務歯構造と比較した本考案の特徴として、
該金属務歯１の本体１０一側の槽孔１１の第一幅広部位１１３は、内側に向かって第二狭窄部位１１４が続き、該第二狭窄部位１１４は内向きに第二幅広部位１１５が続き、更に該槽孔１１内で相対する第二噛合せ部位１１７を形成し、第一噛合せ部位１１６及び第二噛合せ部位１１７は、ファスナーテープ２１の中心線部位２１１と咬み合って固定し噛合せ面積が増える。また、該金属務歯１の本体１０の別一側上方には上向きに突出した務歯頭部１２の別一側の斜面部１２２には凹円弧面１２２１を備え、左右両側のファスナーテープ２１の左右金属務歯１が噛み合ったり分かれたりする時に、摩擦や押圧を減らして滑動をスムーズにする。
【００１７】
上述の本考案には下述の効果を備える。
金属務歯１は、相対する第一噛合せ部位１１６及び相対する第二噛合せ部位１１７がファスナーテープ２１の中心線部２１１と咬み合って固定することで、該中心線部位２１１が強制的に変形し、相対して噛み合う面積が増え、歯抜け、歯滑り防止強度を高める長所を備える。言い換えると、金属務歯１は第二噛合せ部位１１７によって務歯と芯が増強され（即ち中心線部位２１１）の噛合せ強度が相対して向上し安定し耐用性が増す。更に二重の噛合せ固定効果によって金属務歯１がズレたり、脱落したりするのを防止し、使用寿命を延ばす。
【００１８】
そのうちの一側の金属務歯１はその務歯頭部１２の凹円弧面１２２１がちょうど別一側の金属務歯１下方内側の角辺１３１を避け（図７参照）、それによって相互に合わさる時に押したりぶつけたりせず、抵抗力を減らし、良好な滑動を達成する。左右両側の金属務歯１が合わさったり分かれたりする時、摩擦や押圧に依る抵抗を減らし、スムーズに滑らせる。
【００１９】
以上の説明は本考案の実施例にすぎず、本考案実施の範囲を制限するものではない。本考案に基づく変化、修飾はすべて本考案の請求項に属する。
【符号の説明】
【００２０】
１    金属務歯
１０    本体
１１    槽孔
１１１    開口端
１１２    第一狭窄部位
１１３    第一幅広部位
１１４    第二狭窄部位
１１５    第二幅広部位
１１６    第一噛合せ部位
１１７    第二噛合せ部位
１２    務歯頭部
１２１    斜面部
１２２    斜面部
１２２１    凹円弧面
１３    凹槽
１３１    角辺
２    金属線ファスナー
２１    ファスナーテープ
２１１    中心線部位
３    ファスナーテープ
３１    中心線部位
４，４’金属務歯
４０，４０’本体
４０１，４０１’角辺
４１    槽孔
４１１    開口端
４１２    狭窄部位
４１３    幅広部位
４１４    噛合せ部位
４２    務歯頭部
４２１    一側端
５    スライダー
【図１】
0003164064.tif 000003
【図２】
0003164064.tif 000004
【図３】
0003164064.tif 000005
【図４】
0003164064.tif 000006
【図５】
0003164064.tif 000007
【図６】
0003164064.tif 000008
【図７】
0003164064.tif 000009